(57)【特許請求の範囲】
【請求項１】
ＭＳとのダウンリンクデータ通信のために少なくとも１つの協働ＢＳと協働するように、ＣＯ−ＭＩＭＯベースの無線遠隔通信ネットワーク内のサービングＢＳを制御する、前記サービングＢＳにおける方法であって、
ａ．前記ＭＳに測定命令を送るステップであって、前記測定命令が、前記サービングＢＳと前記ＭＳの間及び前記少なくとも１つの協働ＢＳと前記ＭＳの間の各ダウンリンクチャネルのチャネル関連情報を判定するための判定支援情報からなるステップ、
ｂ．前記測定命令に対するフィードバック情報を前記ＭＳから受信するステップ、
ｃ．前記測定命令に対する前記フィードバック情報に従って、前記サービングＢＳと前記ＭＳの間のダウンリンク信号プリコーディング情報、及び前記少なくとも１つの協働ＢＳと前記ＭＳの間の少なくとも１つのダウンリンク信号プリコーディング情報を取得するステップ、
ｄ．前記少なくとも１つの協働ＢＳに対応する少なくとも１つの協働要求メッセージを前記少なくとも１つの協働ＢＳに送るステップであって、前記協働要求メッセージが、前記対応する協働ＢＳと前記ＭＳの間のダウンリンク信号プリコーディング情報からなるステップ、
ｇ．前記少なくとも１つの協働ＢＳと協働して、前記ダウンリンク信号プリコーディング情報に従ってプリコーディングされたダウンリンク信号を前記ＭＳに送信するステップを備える方法。
【請求項２】
請求項１記載の方法であって、前記ステップｄの後及び前記ステップｇの前で、前記方法がさらに、
ｆ．協働して送信されたダウンリンク信号の受信を開始するように命令する受信命令メッセージを前記ＭＳに送り、ダウンリンク信号を協働して送信するよう、前記少なくとも１つの協働ＢＳに命令する少なくとも１つの送信命令メッセージを前記対応する協働ＢＳに送るステップ
を備える方法。
【請求項３】
請求項２記載の方法であって、前記ステップｄの後及び前記ステップｆの前で、前記方法がさらに、
ｅ１．前記少なくとも１つの協働ＢＳから少なくとも１つの協働応答メッセージを受信するステップ、
ｅ２．前記少なくとも１つの協働応答メッセージに従って、前記少なくとも１つの協働ＢＳと前記ＭＳの間の少なくとも１つの新規ダウンリンク信号プリコーディング情報を判定するステップ
を備え、前記ステップｆの前記受信命令メッセージが、前記少なくとも１つの協働ＢＳと前記ＭＳの間の前記判定された少なくとも１つの新規ダウンリンク信号プリコーディング情報からなる方法。
【請求項４】
請求項２又は３記載の方法であって、前記ステップｃの後及び前記ステップｄの前で、前記方法がさらに、
・前記サービングＢＳと前記ＭＳの間のダウンリンク信号プリコーディング情報に従って、所定の規則に基づく、前記サービングＢＳと前記ＭＳの間の新規ダウンリンク信号プリコーディング情報を判定するステップ
を備え、前記ステップｆの前記受信命令メッセージが、前記サービングＢＳと前記ＭＳの間の前記判定された新規ダウンリンク信号プリコーディング情報からなる方法。
【請求項５】
ＣＯ−ＭＩＭＯベースの遠隔通信ネットワーク内のＭＳとのダウンリンクデータ通信を協働して実施するように、サービングＢＳ及び少なくとも１つの協働ＢＳを制御するのを支援する、前記ＭＳにおける方法であって、
Ｉ．前記サービングＢＳから測定命令を受信するステップであって、前記測定命令が、前記サービングＢＳと前記ＭＳの間及び前記少なくとも１つの協働ＢＳと前記ＭＳの間の各ダウンリンクチャネルのチャネル関連情報を判定するための判定支援情報からなるステップ、
ＩＩ．前記判定支援情報に基づいて、前記サービングＢＳと前記ＭＳの間及び前記少なくとも１つの協働ＢＳと前記ＭＳの間の各ダウンリンクチャネルのチャネル関連情報を判定するステップ、
ＩＩＩ．前記サービングＢＳと前記ＭＳの間及び前記少なくとも１つの協働ＢＳと前記ＭＳの間の各ダウンリンクチャネルの前記判定チャネル関連情報に従って、前記測定命令に対するフィードバック情報を生成するステップ、
ＩＶ．前記測定命令に対する前記フィードバック情報を前記サービングＢＳに送るステップ、
ＶＩ．前記サービングＢＳ及び前記少なくとも１つの協働ＢＳによって協働して送信された前記ダウンリンク信号プリコーディング情報に従ってプリコーディングされたダウンリンク信号を受信するステップ
を備える方法。
【請求項６】
請求項５記載の方法であって、前記ステップＩＶの後及び前記ステップＶＩの前で、前記方法がさらに、
Ｖ．協働して送信されるダウンリンク信号の受信を開始するよう命令する受信命令メッセージを前記サービングＢＳから受信するステップ
を備える方法。
【請求項７】
ＭＳとのダウンリンクデータ通信のために少なくとも１つの協働ＢＳと協働するように、ＣＯ−ＭＩＭＯベースの無線遠隔通信ネットワーク内のサービングＢＳを制御する、前記サービングＢＳにおける方法であって、
Ａ．前記ＭＳに測定命令を送るステップであって、前記測定命令が、前記サービングＢＳと前記ＭＳの間及び前記少なくとも１つの協働ＢＳと前記ＭＳの間の各ダウンリンクチャネルのチャネル関連情報を判定するための判定支援情報からなるステップ、
Ｂ．前記サービングＢＳと前記ＭＳの間のダウンリンク信号プリコーディング情報を前記ＭＳから受信するステップ、
Ｃ．前記少なくとも１つの協働ＢＳと協働して、前記ダウンリンク信号プリコーディング情報に従ってプリコーディングされたダウンリンク信号を前記ＭＳに送信するステップ
を備える方法。
【請求項８】
ＣＯ−ＭＩＭＯベースの遠隔通信ネットワーク内のＭＳとのダウンリンクデータ通信を協働して実施するようにサービングＢＳ及び少なくとも１つの協働ＢＳを制御するのを支援する、前記ＭＳにおける方法であって、
ｍ．前記サービングＢＳから測定命令を受信するステップであって、前記測定命令が、前記サービングＢＳと前記ＭＳの間及び前記少なくとも１つの協働ＢＳと前記ＭＳの間の各ダウンリンクチャネルのチャネル関連情報を判定するための判定支援情報からなるステップ、
ｎ．前記判定支援情報に基づいて、前記サービングＢＳと前記ＭＳの間及び前記少なくとも１つの協働ＢＳと前記ＭＳの間の各ダウンリンクチャネルのチャネル関連情報を判定するステップ、
ｏ．前記サービングＢＳと前記ＭＳの間及び前記少なくとも１つの協働ＢＳと前記ＭＳの間の各ダウンリンク信号の前記判定チャネル関連情報に従って、所定の規則に基づく、前記サービングＢＳと前記ＭＳの間のダウンリンク信号プリコーディング情報及び前記少なくとも１つの協働ＢＳと前記ＭＳの間の少なくとも１つのダウンリンク信号プリコーディング情報を判定するステップ、
ｐ．前記サービングＢＳと前記ＭＳの間の前記ダウンリンク信号プリコーディング情報を前記サービングＢＳに、及び前記少なくとも１つの協働ＢＳと前記ＭＳの間の前記少なくとも１つのダウンリンク信号プリコーディング情報を対応する協働型ＢＳにそれぞれ送るステップ、
ｑ．前記サービングＢＳ及び前記少なくとも１つの協働ＢＳによって協働して送信された前記ダウンリンク信号プリコーディング情報に従ってプリコーディングされたダウンリンク信号を受信するステップ
を備える方法。
【請求項９】
ＭＳとのダウンリンクデータ通信のために少なくとも１つの協働ＢＳと協働するように、ＣＯ−ＭＩＭＯベースの無線遠隔通信ネットワーク内のサービングＢＳを制御する、前記サービングＢＳにおける第１の制御装置であって、
前記ＭＳに測定命令を送る第１の送出機であって、前記測定命令が、前記サービングＢＳと前記ＭＳの間及び前記少なくとも１つの協働ＢＳと前記ＭＳの間の各ダウンリンクチャネルのチャネル関連情報を判定するための判定支援情報からなる送出機、
前記測定命令に対するフィードバック情報を前記ＭＳから受信する第１の受信機、
前記測定命令に対する前記フィードバック情報に従って、前記サービングＢＳと前記ＭＳの間のダウンリンク信号プリコーディング情報、及び前記少なくとも１つの協働ＢＳと前記ＭＳの間の少なくとも１つのダウンリンク信号プリコーディング情報を取得する第１の取得手段、
前記少なくとも１つの協働ＢＳに対応する少なくとも１つの協働要求メッセージを前記少なくとも１つの協働ＢＳに送るステップであって、前記協働要求メッセージが、前記対応する協働ＢＳと前記ＭＳの間のダウンリンク信号プリコーディング情報からなる第２の送出機、
前記少なくとも１つの協働ＢＳと協働して、前記ダウンリンク信号プリコーディング情報に従ってプリコーディングされたダウンリンク信号を前記ＭＳに送信する第１の送信機
を備えた第１の制御装置。
【請求項１０】
ＣＯ−ＭＩＭＯベースの遠隔通信ネットワーク内のＭＳとのダウンリンクデータ通信を協働して実施するように、サービングＢＳ及び少なくとも１つの協働ＢＳを制御するのを支援する、前記ＭＳにおける第１の制御支援装置であって、
前記サービングＢＳから測定命令を受信する第５の受信機であって、前記測定命令が、前記サービングＢＳと前記ＭＳの間及び前記少なくとも１つの協働ＢＳと前記ＭＳの間の各ダウンリンクチャネルのチャネル関連情報を判定するための判定支援情報からなる受信機、
前記判定支援情報に基づいて、前記サービングＢＳと前記ＭＳの間及び前記少なくとも１つの協働ＢＳと前記ＭＳの間の各ダウンリンクチャネルのチャネル関連情報を判定する第５の判定手段、
前記サービングＢＳと前記ＭＳの間及び前記少なくとも１つの協働ＢＳと前記ＭＳの間の各ダウンリンクチャネルの前記判定チャネル関連情報に従って、前記測定命令に対するフィードバック情報を生成する第３の生成装置、
前記測定命令に対する前記フィードバック情報を前記サービングＢＳに送る第５の送出機、
前記サービングＢＳ及び前記少なくとも１つの協働ＢＳによって協働して送信された前記ダウンリンク信号プリコーディング情報に従ってプリコーディングされたダウンリンク信号を受信する第６の受信機
を備えた制御支援装置。
【発明の詳細な説明】
【技術分野】
【０００１】
本発明は無線遠隔通信ネットワークに関し、詳細には、複数ＢＳ協調ＭＩＭＯ技術に基づく無線遠隔通信ネットワークに関する。
【背景技術】
【０００２】
無線遠隔通信ネットワークにおいて、ＭＩＭＯ（多重入出力）技術は、無線送出機及び受信機両方の所で複数のアンテナを使うことにより通信能力を向上させる。ＭＩＭＯ技術では、より成熟したＳＵ−ＭＩＭＯ（シングルユーザ多重入出力）がＢＳ（基地局）の時間周波数資源をＭＳ（移動局）のものと１対１対応できるようにし、ＢＳは複数のアンテナを介してある特定の時間周波数資源で単一ＭＳと通信する。従って、ＢＳと単一ＭＳの間の通信能力が大きく向上する。但し、ＭＳの数が増えるのに伴い、通信用の共通時間周波数資源を複数のＭＳが共有する状況が考慮されるべきである。従って、複数ユーザＭＩＭＯ（ＭＵ−ＭＩＭＯ）が広く注目され、研究対象となっている。ＭＵ−ＭＩＭＯでは、ＢＳは複数のアンテナを介して異なる複数のＭＳと同じ時間周波数資源で同時に通信する。従って、ＢＳ及び複数のＭＳの間の通信能力は同時に向上し得る。
【０００３】
既存のＳＵ−ＭＩＭＯ及びＭＵ−ＭＩＭＯでは、ほとんどの研究はＢＳがそれ自体のアンテナを使って単一ＭＳ又は複数のＭＳと通信する状況に限られている。但し、無線メッシュネットワーク又は無線自己編成ネットワークでは、ＭＳのＭＩＭＯ通信が、それ自体のセルのＢＳ及び他の隣接ＢＳによって良好な通信品質で同時に協働して実施することができる場合、ＭＳの通信能力は単一ＢＳサービスと比較して向上し得る。従って、複数ＢＳ協調ＭＩＭＯ（ＣＯ−ＭＩＭＯ）は多くの注目を受けている。具体的には、複数ＢＳ  ＣＯ−ＭＩＭＯは地理的に場所が異なるサービングＢＳ及び協働ＢＳの複数のアンテナを使ってＭＳとのＭＩＭＯ通信を協働して実施する。
【０００４】
複数ＢＳ  ＣＯ−ＭＩＭＯでは、サービングＢＳとＭＳの間及び協働ＢＳとＭＳの間のチャネル情報に従ってプリコーディング情報を判定することが必要なステップである。ダウンリンクとアップリンクの間のチャネル相互関係が成り立つ時分割複信（ＴＤＤ）モードでは、サービングＢＳ及び協働ＢＳは、ＭＳからアップリンクによりサービングＢＳとＭＳの間及び協働ＢＳとＭＳの間のアップリンクチャネル応答を取得し、それぞれサービングＢＳとＭＳの間及び協働ＢＳとＭＳの間のダウンリンクチャネル情報、及び対応する各ダウンリンク・プリコーディング行列をアップリンクチャネル応答に従って計算することができる。但し、周波数分割複信（ＦＤＤ）モードでは、ダウンリンクとアップリンク搬送波の間の周波数の差が一般に、チャネル干渉帯域幅を超えるので、ダウンリンクチャネル・フェージングは、ほとんどの場合、アップリンクのものとはほとんど相関性がなく、その結果、サービング及び協働ＢＳは、それぞれのダウンリンクチャネル情報をアップリンクチャネル・フェージングによって判定することができない。さらに、サービングＢＳ及び協働ＢＳは、それらに対応するダウンリンク・プリコーディング行列を判定することができないので、ＭＳとのＣＯ−ＭＩＭＯダウンリンクデータ通信を実装することができない。従来技術におけるこの問題を効果的に解決する方法はない。
【発明の概要】
【課題を解決するための手段】
【０００５】
上述した欠点を解決するために、本発明は、ＭＳとのダウンリンクデータ通信のために少なくとも１つの協働ＢＳと協働するようにサービングＢＳを制御する、ＣＯ−ＭＩＭＯ技術に基づく無線遠隔通信ネットワークにおける方法及び装置を提案する。サービングＢＳはＭＳに測定命令を送り、測定命令はサービングＢＳとＭＳの間及び少なくとも１つの協働ＢＳとＭＳの間の各ダウンリンクチャネルのチャネル関連情報を判定するための判定支援情報からなる。ＭＳはサービングＢＳから測定命令を受信し、その中の判定支援情報に基づいて、サービングＢＳとＭＳの間及び少なくとも１つの協働ＢＳとＭＳの間の各ダウンリンクチャネルのチャネル関連情報を判定し、判定チャネル関連情報に従って測定命令に対するフィードバック情報を生成し、測定命令に対するフィードバック情報をサービングＢＳに送る。サービングＢＳはＭＳから測定命令に対するフィードバック情報を受信し、測定命令に対するフィードバック情報に従って、サービングＢＳとＭＳの間のダウンリンク信号プリコーディング情報、及び少なくとも１つの協働ＢＳとＭＳの間の少なくとも１つのダウンリンク信号プリコーディング情報を取得し、次いで、サービングＢＳは、少なくとも１つの協働ＢＳに対応する少なくとも１つの協働要求メッセージを少なくとも１つの協働ＢＳに送り、協働要求メッセージは対応する協働ＢＳとＭＳの間のダウンリンク信号プリコーディング情報からなる。協働ＢＳはサービングＢＳから協働要求メッセージを受信し、協働要求メッセージは協働ＢＳとＭＳの間のダウンリンク信号プリコーディング情報からなる。最後に、サービングＢＳ及び少なくとも１つの協働ＢＳは、ダウンリンク信号プリコーディング情報に従ってプリコーディングされたダウンリンク信号をＭＳに協働して送信し、ＭＳは、サービングＢＳ及び少なくとも１つの協働ＢＳによって協働して送信されたダウンリンク信号プリコーディング情報に従ってプリコーディングされたダウンリンク信号を受信し、ＣＯ−ＭＩＭＯ通信手順が始まる。
【０００６】
本発明の第１の態様によると、ＭＳとのダウンリンクデータ通信のために少なくとも１つの協働ＢＳと協働するように、ＣＯ−ＭＩＭＯベースの無線遠隔通信ネットワーク内のサービングＢＳを制御する、サービングＢＳにおける方法が提供され、この方法は、ａ．ＭＳに測定命令を送ることであって、測定命令が、サービングＢＳとＭＳの間及び少なくとも１つの協働ＢＳとＭＳの間の各ダウンリンクチャネルのチャネル関連情報を判定するための判定支援情報からなること、ｂ．測定命令に対するフィードバック情報をＭＳから受信すること、ｃ．測定命令に対するフィードバック情報に従って、サービングＢＳとＭＳの間のダウンリンク信号プリコーディング情報、及び少なくとも１つの協働ＢＳとＭＳの間の少なくとも１つのダウンリンク信号プリコーディング情報を取得すること、ｄ．少なくとも１つの協働ＢＳに対応する少なくとも１つの協働要求メッセージを少なくとも１つの協働ＢＳに送ることであって、協働要求メッセージが、対応する協働ＢＳとＭＳの間のダウンリンク信号プリコーディング情報からなること、ｇ．少なくとも１つの協働ＢＳと協働して、ダウンリンク信号プリコーディング情報に従ってプリコーディングされたダウンリンク信号をＭＳに送信することからなる。
【０００７】
本発明の第２の態様によると、ＭＳとのダウンリンクデータ通信のためにサービングＢＳと協働するように協働ＢＳを制御する、ＣＯ−ＭＩＭＯベースの遠隔通信ネットワーク内の協働ＢＳにおける方法が提供され、この方法は、ｉ．サービングＢＳから協働要求メッセージを受信することであって、協働要求メッセージが協働ＢＳとＭＳの間のダウンリンク信号プリコーディング情報からなること、ｉｖ．サービングＢＳと協働して、ダウンリンク信号プリコーディング情報に従ってプリコーディングされたダウンリンク信号をＭＳに送信することからなる。
【０００８】
本発明の第３の態様によると、ＭＳとのダウンリンクデータ通信を協働して実施するように、サービングＢＳ及び少なくとも１つの協働ＢＳを制御するのを支援する、ＣＯ−ＭＩＭＯベースの遠隔通信ネットワーク内のＭＳにおける方法が提供され、この方法は、Ｉ．サービングＢＳから測定命令を受信することであって、測定命令が、サービングＢＳとＭＳの間及び少なくとも１つの協働ＢＳとＭＳの間の各ダウンリンクチャネルのチャネル関連情報を判定するための判定支援情報からなること、ＩＩ．判定支援情報に基づいて、サービングＢＳとＭＳの間及び少なくとも１つの協働ＢＳとＭＳの間の各ダウンリンクチャネルのチャネル関連情報を判定すること、ＩＩＩ．サービングＢＳとＭＳの間及び少なくとも１つの協働ＢＳとＭＳの間の各ダウンリンクチャネルの判定チャネル関連情報に従って、測定命令に対するフィードバック情報を生成すること、ＩＶ．測定命令に対するフィードバック情報をサービングＢＳに送ること、ＶＩ．サービングＢＳ及び少なくとも１つの協働ＢＳによって協働して送信されたダウンリンク信号プリコーディング情報に従ってプリコーディングされたダウンリンク信号を受信することからなる。
【０００９】
本発明の第４の態様によると、ＭＳとのダウンリンクデータ通信のために少なくとも１つの協働ＢＳと協働するようにサービングＢＳを制御する、ＣＯ−ＭＩＭＯベースの無線遠隔通信ネットワーク内のサービングＢＳにおける方法が提供され、この方法は、Ａ．ＭＳに測定命令を送ることであって、測定命令が、サービングＢＳとＭＳの間及び少なくとも１つの協働ＢＳとＭＳの間の各ダウンリンクチャネルのチャネル関連情報を判定するための判定支援情報からなること、Ｂ．サービングＢＳとＭＳの間のダウンリンク信号プリコーディング情報をＭＳから受信すること、Ｃ．少なくとも１つの協働ＢＳと協働して、ダウンリンク信号プリコーディング情報に従ってプリコーディングされたダウンリンク信号をＭＳに送信することからなる。
【００１０】
本発明の第５の態様によると、ＭＳとのダウンリンクデータ通信のためにサービングＢＳと協働するように協働ＢＳを制御する、ＣＯ−ＭＩＭＯベースの遠隔通信ネットワーク内の協働ＢＳにおける方法が提供され、この方法は、Ｍ．協働ＢＳとＭＳの間のダウンリンク信号プリコーディング情報をＭＳから受信すること、Ｎ．サービングＢＳと協働して、ダウンリンク信号プリコーディング情報に従ってプリコーディングされたダウンリンク信号をＭＳに送信することからなる。
【００１１】
本発明の第６の態様によると、ＣＯ−ＭＩＭＯベースの遠隔通信ネットワーク内のＭＳとのダウンリンクデータ通信を協働して実施するようにサービングＢＳ及び少なくとも１つの協働ＢＳを制御するのを支援する、ＭＳにおける方法が提供され、この方法は、ｍ．サービングＢＳから測定命令を受信することであって、測定命令がサービングＢＳとＭＳの間及び少なくとも１つの協働ＢＳとＭＳの間の各ダウンリンクチャネルのチャネル関連情報を判定するための判定支援情報からなること、ｎ．判定支援情報に基づいて、サービングＢＳとＭＳの間及び少なくとも１つの協働ＢＳとＭＳの間の各ダウンリンクチャネルのチャネル関連情報を判定すること、ｏ．サービングＢＳとＭＳの間及び少なくとも１つの協働ＢＳとＭＳの間の各ダウンリンク信号の判定チャネル関連情報に従って、所定の規則に基づく、サービングＢＳとＭＳの間のダウンリンク信号プリコーディング情報及び少なくとも１つの協働ＢＳとＭＳの間の少なくとも１つのダウンリンク信号プリコーディング情報を判定すること、ｐ．サービングＢＳとＭＳの間のダウンリンク信号プリコーディング情報をサービングＢＳに、及び少なくとも１つの協働ＢＳとＭＳの間の少なくとも１つのダウンリンク信号プリコーディング情報を対応する協働型ＢＳにそれぞれ送ること、ｑ．サービングＢＳ及び少なくとも１つの協働ＢＳによって協働して送信されたダウンリンク信号プリコーディング情報に従ってプリコーディングされたダウンリンク信号を受信することからなる。
【００１２】
本発明の第７の態様によると、ＭＳとのダウンリンクデータ通信のために少なくとも１つの協働ＢＳと協働するように、ＣＯ−ＭＩＭＯベースの無線遠隔通信ネットワーク内のサービングＢＳを制御する、サービングＢＳにおける第１の制御装置が提供され、この装置は、ＭＳに測定命令を送る第１の送出機であって、測定命令が、サービングＢＳとＭＳの間及び少なくとも１つの協働ＢＳとＭＳの間の各ダウンリンクチャネルのチャネル関連情報を判定するための判定支援情報からなる送出機、測定命令に対するフィードバック情報をＭＳから受信する第１の受信機、測定命令に対するフィードバック情報に従って、サービングＢＳとＭＳの間のダウンリンク信号プリコーディング情報、及び少なくとも１つの協働ＢＳとＭＳの間の少なくとも１つのダウンリンク信号プリコーディング情報を取得する第１の取得手段、少なくとも１つの協働ＢＳに対応する少なくとも１つの協働要求メッセージを少なくとも１つの協働ＢＳに送る第２の送出機であって、協働要求メッセージが、対応する協働ＢＳとＭＳの間のダウンリンク信号プリコーディング情報からなる送出機、少なくとも１つの協働ＢＳと協働して、ダウンリンク信号プリコーディング情報に従ってプリコーディングされたダウンリンク信号をＭＳに送信する第１の送信機を備える。
【００１３】
本発明の第８の態様によると、ＭＳとのダウンリンクデータ通信のためにサービングＢＳと協働するように、ＣＯ−ＭＩＭＯベースの遠隔通信ネットワーク内の協働ＢＳを制御する、協働ＢＳにおける第１の協働制御装置が提供され、この装置は、サービングＢＳから協働要求メッセージを受信する第３の受信機であって、協働要求メッセージが協働ＢＳとＭＳの間のダウンリンク信号プリコーディング情報からなる受信機、サービングＢＳと協働して、ダウンリンク信号プリコーディング情報に従ってプリコーディングされたダウンリンク信号をＭＳに送信する第２の送信機を備える。
【００１４】
本発明の第９の態様によると、ＣＯ−ＭＩＭＯベースの遠隔通信ネットワーク内のＭＳとのダウンリンクデータ通信を協働して実施するように、サービングＢＳ及び少なくとも１つの協働ＢＳを制御するのを支援する、ＭＳにおける第１の制御支援装置が提供され、この装置は、サービングＢＳから測定命令を受信する第５の受信機であって、測定命令が、サービングＢＳとＭＳの間及び少なくとも１つの協働ＢＳとＭＳの間の各ダウンリンクチャネルのチャネル関連情報を判定するための判定支援情報からなる受信機、判定支援情報に基づいて、サービングＢＳとＭＳの間及び少なくとも１つの協働ＢＳとＭＳの間の各ダウンリンクチャネルのチャネル関連情報を判定する第５の判定手段、サービングＢＳとＭＳの間及び少なくとも１つの協働ＢＳとＭＳの間の各ダウンリンクチャネルの判定チャネル関連情報に従って、測定命令に対するフィードバック情報を生成する第３の生成装置、測定命令に対するフィードバック情報をサービングＢＳに送る第５の送出機、サービングＢＳ及び少なくとも１つの協働ＢＳによって協働して送信されたダウンリンク信号プリコーディング情報に従ってプリコーディングされたダウンリンク信号を受信する第６の受信機を備える。
【００１５】
本発明の第１０の態様によると、ＭＳとのダウンリンクデータ通信のために少なくとも１つの協働ＢＳと協働するように、ＣＯ−ＭＩＭＯベースの無線遠隔通信ネットワーク内のサービングＢＳを制御する、サービングＢＳにおける第２の制御装置が提供され、この装置は、ＭＳに測定命令を送る第６の送出機であって、測定命令が、サービングＢＳとＭＳの間及び少なくとも１つの協働ＢＳとＭＳの間の各ダウンリンクチャネルのチャネル関連情報を判定するための判定支援情報からなる送出機、サービングＢＳとＭＳの間のダウンリンク信号プリコーディング情報をＭＳから受信する第８の受信機、少なくとも１つの協働ＢＳと協働して、ダウンリンク信号プリコーディング情報に従ってプリコーディングされたダウンリンク信号をＭＳに送信する第３の送信機を備える。
【００１６】
本発明の第１１の態様によると、ＭＳとのダウンリンクデータ通信のためにサービングＢＳと協働するようにＣＯ−ＭＩＭＯベースの遠隔通信ネットワーク内の協働ＢＳを制御する、協働ＢＳにおける第２の協働制御装置が提供され、この装置は、協働ＢＳとＭＳの間のダウンリンク信号プリコーディング情報をＭＳから受信する第９の受信機、サービングＢＳと協働して、ダウンリンク信号プリコーディング情報に従ってプリコーディングされたダウンリンク信号をＭＳに送信する第４の送信機を備える。
【００１７】
本発明の第１２の態様によると、ＣＯ−ＭＩＭＯベースの遠隔通信ネットワーク内のＭＳとのダウンリンクデータ通信を協働して実施するようにサービングＢＳ及び少なくとも１つの協働ＢＳを制御するのを支援する、ＭＳにおける第２の制御支援装置が提供され、この装置は、サービングＢＳから測定命令を受信する第１０の受信機であって、測定命令が、サービングＢＳとＭＳの間及び少なくとも１つの協働ＢＳとＭＳの間の各ダウンリンクチャネルのチャネル関連情報を判定するための判定支援情報からなる受信機、判定支援情報に基づいて、サービングＢＳとＭＳの間及び少なくとも１つの協働ＢＳとＭＳの間の各ダウンリンクチャネルのチャネル関連情報を判定する第７の判定手段、サービングＢＳとＭＳの間及び少なくとも１つの協働ＢＳとＭＳの間の各ダウンリンク信号の判定チャネル関連情報に従って、所定の規則に基づく、サービングＢＳとＭＳの間のダウンリンク信号プリコーディング情報及び少なくとも１つの協働ＢＳとＭＳの間の少なくとも１つのダウンリンク信号プリコーディング情報を判定する第８の判定手段、サービングＢＳとＭＳの間のダウンリンク信号プリコーディング情報をサービングＢＳに、及び少なくとも１つの協働ＢＳとＭＳの間の少なくとも１つのダウンリンク信号プリコーディング情報を対応する協働型ＢＳにそれぞれ送る第７の送出機、サービングＢＳ及び少なくとも１つの協働ＢＳによって協働して送信されたダウンリンク信号プリコーディング情報に従ってプリコーディングされたダウンリンク信号を受信する第１１の受信機を備える。
【００１８】
従来技術における、単一ＢＳに基づくＳＵ−ＭＩＭＯ及びＭＵ−ＭＩＭＯと比較して、本発明によって提案される複数ＢＳ  ＣＯ−ＭＩＭＯ技術は、サービングＢＳとＭＳの間及び協働ＢＳとＭＳの間のＭＩＭＯダウンリンクチャネル情報を取得し、次いで、サービングＢＳとＭＳの間及び協働ＢＳとＭＳの間のダウンリンク信号プリコーディング情報を判定し、ダウンリンク・プリコーディング情報に従ってＭＳとの協働ダウンリンクデータ通信を実施する。本発明の技術的解決法は、サービングＢＳ及び協働ＢＳの異なる複数のアンテナ及び無線チャネル資源を十分に利用し、適切なプリコーディングに基づいてＭＳとのＭＩＭＯ通信を実施し、この通信は、例えばＴＤＤなど、ダウンリンク／アップリンク対称通信モード及び例えばＦＤＤなど、ダウンリンク／アップリンク非対称通信モード両方に対して、比較的少ない信号化及びフィードバック・オーバーヘッドで適用可能であり、セルの領域をある程度まで、及びセルエッジユーザの通信能力を拡大し、比較的小さいバックホール情報帯域幅でセル間干渉を削減し、単一ＢＳに基づく既存のＳＵ−ＭＩＭＯ及びＭＵ−ＭＩＭＯの機能を向上させ、既存の技術及びネットワークをほとんど変更させないので、標準化が容易である。
【００１９】
本発明の他の特徴、態様及び利点が、いくつかの非限定的実施形態の以下の記述を、添付の図面の助けを得て読むことにより明らかになるであろう。
【図面の簡単な説明】
【００２０】
【図１】本発明による、複数ＢＳ  ＣＯ−ＭＩＭＯ技術をもつ無線遠隔通信ネットワークを示すネットワーク図である。
【図２Ａ】本発明の実施形態による、ＭＳとのダウンリンクデータ通信を協働して実施する、複数ＢＳ  ＣＯ−ＭＩＭＯ技術に基づく無線遠隔通信ネットワーク内のサービングＢＳ及び協働ＢＳを示すシステムフローチャートである。
【図２Ｂ】本発明の実施形態による、ＭＳとのダウンリンクデータ通信を協働して実施する、複数ＢＳ  ＣＯ−ＭＩＭＯ技術に基づく無線遠隔通信ネットワーク内のサービングＢＳ及び協働ＢＳを示すシステムフローチャートである。
【図３】本発明の実施形態による、ＭＳとのダウンリンクデータ通信のために少なくとも１つの協働ＢＳと協働するようにそれ自体を制御する、ＣＯ−ＭＩＭＯ技術に基づく無線遠隔通信ネットワークにおけるサービングＢＳ内の第１の制御装置を示す構造図である。
【図４】本発明の実施形態による、ＭＳとのダウンリンクデータ通信のためにサービングＢＳと協働するようにそれ自体を制御する、ＣＯ−ＭＩＭＯ技術に基づく無線遠隔通信ネットワークにおける協働ＢＳ内の第１の協働制御装置を示す構造図である。
【図５】本発明の別の実施形態による、サービングＢＳ及び少なくとも１つの協働ＢＳが、ＭＳとのダウンリンクデータ通信を協働して実施するように制御するのを支援する、ＣＯ−ＭＩＭＯ技術に基づく無線遠隔通信ネットワークにおけるＭＳ内の第１の制御支援装置を示す構造図である。
【発明を実施するための形態】
【００２１】
図面において、同じ又は同様の参照番号は同じ又は同様の構成要素を指す。
【００２２】
ここで、本発明を詳細に記載するために図面を参照する。
【００２３】
図１は、本発明による、複数ＢＳ  ＣＯ−ＭＩＭＯ技術をもつ無線遠隔通信ネットワークのネットワーク図を示す。
【００２４】
図１に示す無線遠隔通信ネットワークはＭＳ１ａ、ＭＳ１ｂ、ＢＳ２ａ及びＢＳ２ｂを備える。一般性を失わずに、ＭＳ１ａ及びＭＳ１ｂは両方とも２つの受信アンテナを有し、ＢＳ２ａ及びＢＳ２ｂは両方とも２つの送信アンテナを有するものとする。ある特定の適用シナリオでは、無線遠隔通信ネットワークのＭＳ１ａは２つより多い受信アンテナを備えてよく、ＭＳ１ｂは少なくとも１つの受信アンテナを備えてよく、ＢＳ２ａ、ＢＳ２ｂは２つより多い送信アンテナを備えてよいことが当業者には理解できよう。
【００２５】
図２は、本発明の実施形態による、ＭＳとのダウンリンクデータ通信を協働して実施する、複数ＢＳ  ＣＯ−ＭＩＭＯ技術をもつ無線遠隔通信ネットワーク内のサービングＢＳ及び協働ＢＳのシステムフローチャートを示す。
【００２６】
本発明の技術的解決法を、図１とともに図２を参照して詳しく述べる。
【００２７】
具体的には、ＭＳ１ａは最初に、プリアンブル又は他の測定値に基づいて、そのサービングＢＳを判定する。ＭＳ１ａがＢＳ２ａから受信するプリアンブル又は他の信号の強度が他のＢＳから受信されるものより大きい場合、ＭＳ１ａはＢＳ２ａがそのサービングＢＳである、つまりＭＳ１ａがＢＳ２ａによって支配されると判定する。
【００２８】
同様に、ＭＳ１ｂはプリアンブル又は他の測定値に基づいてそのサービングＢＳを判定する。ＭＳ１ｂがＢＳ２ｂから受信するプリアンブル又は他の信号の強度が他のＢＳから受信されるものより大きい場合、ＭＳ１ｂはＢＳ２ｂがそのサービングＢＳである、つまりＭＳ１ｂがＢＳ２ｂによって支配されると判定する。
【００２９】
説明のための例として、ＭＳ１ａがＢＳ２ａによって支配され、ＭＳ１ｂがＢＳ２ｂによって支配され、ＭＳ１ａとのダウンリンクデータ伝送のために協働するよう、ＢＳ２ｂ、ＢＳ２ａに要求するための要求をＭＳ１ａ又はＢＳ２ａがＢＳ２ａに送る状況について検討する。
【００３０】
最初に、ＢＳ２ａが、プリアンブル又は共通パイロットに基づく測定の実施、及びＢＳ２ａへの測定結果の報告をＭＳ１ａに知らせるための測定命令メッセージをＭＳ１ａに送る。
【００３１】
ＭＳ１ａは、ＢＳ２ａから測定命令メッセージを受信した後、測定命令メッセージに従って、ＢＳ２ａ、ＢＳ２ｂから受信されたプリアンブル又は共通パイロットの強度を測定し、測定結果をＢＳ２ａに報告する。
【００３２】
さらに、ＭＳ１ａは、ＢＳ２ａ及びＢＳ２ｂからのプリアンブル又は共通パイロットの強度を定期的に測定し、測定結果をＢＳ２ａに定期的に報告することができる。
【００３３】
或いは、ＭＳ１ａは、所定の条件が満たされるとき、ＢＳ２ａに測定結果を知らせることができる。所定の条件は、ＭＳ１ａが測定結果（受信信号強度インジケータ（ＲＳＳＩ）に従ってそれ自体がセルエッジの所に配置されていると判定し、又はＢＳ２ａとＭＳ１ａの間の物理搬送波電力対干渉電力及び雑音電力比（ＰＣＩＮＲ）が、予め定義された閾値を下回り、又は受信信号強度インジケータ（ＲＳＳＩ）の間の差若しくはＢＳ２ａとＭＳ１ａの間及びＢＳ２ｂとＭＳ１ａの間の物理搬送波電力対干渉電力及び雑音電力比（ＰＣＩＮＲ）が別の所定閾値より低いことからなり得る。
【００３４】
ＢＳ２ａは、受信測定結果に従って、ＭＳ１ａが基本的にＣＯ−ＭＩＭＯ条件を満たす（例えば、ＭＳ１ａが、ＢＳ２ａが支配するセルのエッジの所に配置されている）と判定し、次いで、方法はステップＳ１に入り、ＢＳ２ａは、ＭＳ１ａに測定命令を送出し、ここで、測定命令は、ＢＳ２ａとＭＳ１ａの間及びＢＳ２ｂとＭＳ１ａの間の各ダウンリンクチャネルのチャネル関連情報を判定するための判定支援情報からなる。
【００３５】
さらに、判定支援情報は、ＢＳ２ａ及びＢＳ２ｂからの共通パイロット信号を測定する時間周波数資源（即ち、ＢＳ２ａ、ＢＳ２ｂが、共通パイロット信号を測定するのにどのような時間周波数資源を使うべきか）、並びにＢＳ２ａとＭＳ１ａの間のダウンリンクチャネル及びＢＳ２ｂとＭＳ１ａの間のダウンリンクチャネルを推定するための他の必要情報からなる。
【００３６】
或いは、測定命令はさらに、プリコーディング粒度、プリコーディング情報の計算戦略及びプリコーディング情報のフィードバック戦略などからなる。
【００３７】
さらに、プリコーディング粒度は、同一のプリコーディング行列が適用可能である時間周波数資源ブロックのサイズを定義する。
【００３８】
さらに、プリコーディング情報の計算戦略は、長期プリコーディング（チャネル共分散行列に基づくプリコーディングなど）及び短期プリコーディング（チャネル瞬時情報に基づくプリコーディングなど）からなり得る。
【００３９】
さらに、プリコーディング情報のフィードバック戦略は、ＢＳ２ａのみへのプリコーディング情報のフィードバック、又はＢＳ２ａ、ＢＳ２ｂ両方へのプリコーディング情報の同時フィードバック、並びにフィードバックの開始時点及び時間間隔（即ち、ＭＳ１ａが、対応するＢＳにプリコーディング情報をどの程度の頻度でフィードバックするか）などからなり得る。
【００４０】
当然ながら、プリコーディング情報の計算戦略、プリコーディング情報のフィードバック戦略及びプリコーディング粒度に関して、これらはＭＳ１ａがネットワークに入るときにハンドシェーク情報によって相互に伝達することができる。これに基づいて、ステップＳ１で、ＢＳ２ａがＭＳ１ａに送る測定命令はこうした情報を備えなくてもよい。
【００４１】
次いで、方法はステップＳ２に入り、ＭＳ１ａはＢＳ２ａから測定命令を受信し、ＢＳ２ａとＭＳ１ａの間及びＢＳ２ｂとＭＳ１ａの間の各ダウンリンクチャネルのチャネル関連情報を、測定命令中の判定支援情報に基づいて判定する。
【００４２】
さらに、ＭＳ１ａは、ＢＳ２ａとＭＳ１ａの間のダウンリンクチャネルのチャネル関連情報Ｈ１１並びにＢＳ２ｂとＭＳ１ａの間のダウンリンクチャネルのチャネル関連情報Ｈ１２をそれぞれ、測定命令中の判定支援情報に基づいて、ＢＳ２ａから受信された共通パイロット信号及びＢＳ２ｂから受信された共通パイロット信号により推定し、ここで、Ｈ１１及びＨ１２は両方とも２×２行列である。
【００４３】
さらに、行列Ｈ１１の行の量はＭＳ１ａの受信アンテナの量に等しく、行列Ｈ１１の列の量はＢＳ２ａの送信アンテナの量に等しい。行列Ｈ１２の行の量はＭＳ１ａの受信アンテナの量に等しく、行列Ｈ１２の列の量はＢＳ２ｂの送信アンテナの量に等しい。
【００４４】
次いで、方法はステップＳ３に入り、ＭＳ１ａは、所定の規則に基づく、ＢＳ２ａとＭＳ１ａの間のダウンリンク信号プリコーディング情報及びＢＳ２ｂとＭＳ１ａの間のダウンリンク信号プリコーディング情報を、ダウンリンクチャネルの判定チャネル関連情報Ｈ１１及びＨ１２に従って判定する。
【００４５】
さらに、ダウンリンク信号プリコーディング情報のための計算方法は、長期プリコーディング及び短期プリコーディングという２つのカテゴリに分けることができる。
【００４６】
Ａ．長期プリコーディング
チャネル共分散行列に基づく長期プリコーディングを例として取り上げ、ＢＳ２ａとＭＳ１ａの間のダウンリンク信号プリコーディング情報及びＢＳ２ｂとＭＳ１ａの間のダウンリンク信号プリコーディング情報を判定する方法を記述する。
【００４７】
ＭＳ１ａは最初に、共分散行列Ｒ＝Ｅ｛［Ｈ１１  Ｈ１２］＊×［Ｈ１１  Ｈ１２］｝を推定し、ここでＥ｛｝は期待値演算子であり、上付き記号＊は共役転置演算子である。
【００４８】
次いで、ＭＳ１ａは最適プリコーディング行列Ｗ１１’及びＷ１２’を、以下の基準によって判定する。
【００４９】
【数１】
0005393773.tif 000002
上式で、「Ｏ」はＷ１１及びＷ１２と同じ量の行及び列からなるヌル行列を表し、Ｔｒａｃｅ｛｝は括弧で括られた行列の対角要素の和に等しい。
【００５０】
上式で、Ｗ１１及びＷ１２は所定のコードブックの要素である。さらに、所定のコードブックはＭＳ１ａ、ＭＳ１ｂ、ＢＳ２ａ及びＢＳ２ｂによって共有される。さらに、コードブックは、ＤＦＴコードブック、３ＧＰＰ  ＬＴＥコードブック、ＩＥＥＥ８０２．１６ｅコードブック又は他のコードブックでよく、これらは当業者に理解されるものであるので、ここでは詳しく述べない。
【００５１】
上式で、最適プリコーディング行列Ｗ１１’はＢＳ２ａとＭＳ１ａの間のダウンリンク信号プリコーディング行列を表し、最適プリコーディング行列Ｗ１２’はＢＳ２ｂとＭＳ１ａの間のダウンリンク信号プリコーディング行列を表す。
【００５２】
Ｂ．短期プリコーディング
チャネル瞬時情報に基づく短期プリコーディングを例として取り上げ、ＢＳ２ａとＭＳ１ａの間のダウンリンク信号プリコーディング情報及びＢＳ２ｂとＭＳ１ａの間のダウンリンク信号プリコーディング情報を判定する方法を記述する。
【００５３】
ＭＳ１ａは最適プリコーディング行列Ｗ１１’及びＷ１２’を以下の基準によって判定する。
【００５４】
【数２】
0005393773.tif 000003
上式で、「Ｏ」はＷ１１及びＷ１２と同じ量の行及び列からなるヌル行列を表し、Ｃａｐａｃｉｔｙ｛｝はチャネル容量を表す。
【００５５】
上式で、最適プリコーディング行列Ｗ１１’は、ＢＳ２ａとＭＳ１ａの間のダウンリンク信号プリコーディング行列を表し、最適プリコーディング行列Ｗ１２’は、ＢＳ２ｂとＭＳ１ａの間のダウンリンク信号プリコーディング行列を表す。
【００５６】
次いで、方法はステップＳ４に入り、ＭＳ１ａは、ＢＳ２ａとＭＳ１ａの間の判定ダウンリンク信号プリコーディング情報及びＢＳ２ｂとＭＳ１ａの間のダウンリンク信号プリコーディング情報に従って、測定命令に対するフィードバック情報を生成し、測定命令に対するフィードバック情報をＢＳ２ａに送る。
【００５７】
具体的には、ＭＳ１ａは、コードブックを探索することによって最適プリコーディング行列Ｗ１１’及びＷ１２’を判定した後、最適プリコーディング行列Ｗ１１’及びＷ１２’のインデックスを測定命令に対するフィードバック情報としてＢＳ２ａに送る。
【００５８】
当然ながら、ＭＳ１ａは、最適プリコーディング行列Ｗ１１’及びＷ１２’を、測定命令に対するフィードバック情報としてＢＳ２ａに直接送ることができる。
【００５９】
任意選択で、測定命令に対するフィードバック情報はさらに、最適プリコーディング行列Ｗ１１’及びＷ１２’のインデックス又は最適プリコーディング行列Ｗ１１’及びＷ１２’自体に加えて、指示情報からなるものでよく、ＭＳ１ａは、この指示情報を使って、ＢＳ２ａがＣＯ−ＭＩＭＯ伝送に適しているかどうかをＢＳ２ａに知らせる。例えば、指示情報は、ＳＵ−ＭＩＭＯを上回るＣｏ−ＭＩＭＯを用いる容量利得、又は単にバイナリ値からなってよく、この場合、「１」はＣｏ−ＭＩＭＯ伝送に適していることを表し、「０」はＣＯ−ＭＩＭＯ伝送に適していないことを表す。
【００６０】
次いで、ステップＳ５で、ＢＳ２ａは、ＭＳ１ａから測定命令に対するフィードバック情報を受信し、測定命令に対するフィードバック情報から、ＢＳ２ａとＭＳ１ａの間のダウンリンク信号プリコーディング情報及びＢＳ２ｂとＭＳ１ａの間のダウンリンク信号プリコーディング情報を抽出する。
【００６１】
具体的には、ＭＳ１ａが最適プリコーディング行列Ｗ１１’及びＷ１２’のインデックスを測定命令に対するフィードバック情報としてＢＳ２ａに送った場合、ＢＳ２ａは最初に、測定命令に対するフィードバック情報から最適プリコーディング行列Ｗ１１’及びＷ１２’のインデックスを抽出する必要があり、ＭＳ１ａと共有されるコードブック中で、インデックスに従って最適プリコーディング行列Ｗ１１’及びＷ１２’を探索する。
【００６２】
ＭＳ１ａが最適プリコーディング行列Ｗ１１’及びＷ１２’を測定命令に対するフィードバック情報としてＢＳ２ａに直接送った場合、ＢＳ２ａは測定命令に対するフィードバック情報から最適プリコーディング行列Ｗ１１’及びＷ１２’を抽出するだけでよい。
【００６３】
ＢＳ２ａが、ＢＳ２ａとＭＳ１ａの間のダウンリンク信号プリコーディング行列Ｗ１１’を取得した後、ステップＳ６で、ＢＳ２ａは、ＢＳ２ａとＭＳ１ａの間のダウンリンク信号プリコーディング行列Ｗ１１’に従って、所定の規則に基づく、ＢＳ２ａとＭＳ１ａの間の新規ダウンリンク信号プリコーディング情報を判定する。
【００６４】
具体的には、ＢＳ２ａとＭＳ１ａの間のダウンリンク信号プリコーディング行列Ｗ１１’をＢＳ２ａが取得した後、ＢＳ２ａが、ダウンリンク信号プリコーディング行列が適切であると見なす場合、ＢＳ２ａはダウンリンク信号プリコーディング行列Ｗ１１’を受諾する。ＢＳ２ａは、ＭＳ１ａによって推奨されるダウンリンク信号プリコーディング行列を検討せず、共有コードブック中の別のダウンリンク信号プリコーディング行列を再度探索してもよい。さらに、再度探索されるダウンリンク信号プリコーディング行列は、ＭＳ１ａによって本来推奨されるダウンリンク信号プリコーディング行列と強い相関があり、ＢＳ２ａによって支配される他のユーザへの損害が低下しているべきである。
【００６５】
当然ながら、ＢＳ２ａがＢＳ２ｂとのＣＯ−ＭＩＭＯ伝送の実施に適していないと見なす（例えば、ＢＳ２ａ、ＢＳ２ｂのＣＯ−ＭＩＭＯ伝送が、ＢＳ２ａによってサービス提供される他のＭＳへの干渉を被ることになる）場合、ＢＳ２ａはＢＳ２ｂとのＣＯ−ＭＩＭＯ伝送方式においてＭＳ１ａへのサービス提供を拒否してよい。
【００６６】
ＢＳ２ａは、新規ダウンリンク信号プリコーディング情報（新規ダウンリンク信号プリコーディング情報は、ＭＳ１ａによって判定されたダウンリンク信号プリコーディング情報でも、ＢＳ２ａによって再判定されたダウンリンク信号プリコーディング情報でもよい）を、その最終選択結果（ＭＳ１ａによって推奨されるダウンリンク信号プリコーディング情報を受諾し、ダウンリンク信号プリコーディング情報を再判定し、又はＢＳ２ｂとのＣＯ−ＭＩＭＯ伝送を拒否する）に従って判定し、この結果はＭＳ１ａに通知を行うのに使われる。
【００６７】
ＢＳ２ａがＢＳ２ａとＭＳ１ａの間のダウンリンク信号プリコーディング行列を取得した後に、デフォルトで選択されたダウンリンク信号プリコーディング行列Ｗ１１’を受諾した場合、ステップＳ６は省いてよい。
【００６８】
次いで、方法はステップＳ７に入り、ＢＳ２ａは、ＢＳ２ｂとＭＳ１ａの間のダウンリンク信号プリコーディング情報からなる協働要求メッセージをＢＳ２ｂに送る。
【００６９】
具体的には、ＢＳ２ａは、ＢＳ２ｂとＭＳ１ａの間のダウンリンク信号プリコーディング行列Ｗ１２’のインデックスを協働要求メッセージによりＢＳ２ｂに送ればよい。当然ながら、ＢＳ２ａは、ダウンリンク信号プリコーディング行列Ｗ１２’を協働要求メッセージによりＢＳ２ｂに直接送ることができる。
【００７０】
任意選択で、協働要求メッセージはさらに、ＢＳ２ａとのＣＯ−ＭＩＭＯ伝送用に同じ時間周波数資源を使うことをＢＳ２ｂに知らせるように、ＢＳ２ａがＭＳ１ａに割り振る時間周波数資源情報からなってよく、協働要求メッセージはさらに、プリコーディング戦略情報（例えば、長期プリコーディングや短期プリコーディングの適用、プリコーディング粒度など）からなってよい。
【００７１】
ステップＳ６とＳ７の間は順不同であることに留意されたい。
【００７２】
次いで、方法はステップＳ８に入り、ＢＳ２ｂはＢＳ２ａから協働要求メッセージを受信し、協働要求メッセージに従って協働応答メッセージを生成する。
【００７３】
具体的には、ＢＳ２ａがダウンリンク信号プリコーディング行列Ｗ１２’のインデックスを協働要求メッセージによりＢＳ２ｂに送った場合、ＢＳ２ｂがＢＳ２ａから協働要求メッセージを受信した後、ＢＳ２ｂは最初に、協働要求メッセージからダウンリンク信号プリコーディング行列Ｗ１２’のインデックスを抽出し、次いで、インデックスに従って、共有コードブック中の対応するダウンリンク信号プリコーディング行列Ｗ１２’を探索する。
【００７４】
ＢＳ２ａがダウンリンク信号プリコーディング行列Ｗ１２’を協働要求メッセージによりＢＳ２ｂに直接送った場合、ＢＳ２ｂは協働要求メッセージからダウンリンク信号プリコーディング行列Ｗ１２’を抽出するだけでよい。
【００７５】
さらに、ＢＳ２ｂが、ＢＳ２ｂとＭＳ１ａの間のダウンリンク信号プリコーディング行列Ｗ１２’を取得した後で、ＢＳ２ｂが、ダウンリンク信号プリコーディング行列が適切であると見なす場合、ＢＳ２ｂはダウンリンク信号プリコーディング行列Ｗ１２’を受諾する。
【００７６】
ＢＳ２ｂは、ＢＳ２ａからのダウンリンク信号プリコーディング行列を検討せず、共有コードブック中の別のダウンリンク信号プリコーディング行列を再度探索してもよい。さらに、再度探索されたダウンリンク信号プリコーディング行列は、本来はＢＳ２ａからのダウンリンク信号プリコーディング行列と強い相関があり、ＢＳ２ｂによって支配される他のユーザへの損害が低下しているべきである。
【００７７】
当然ながら、ＢＳ２ａが、ＢＳ２ａとのＣＯ−ＭＩＭＯ伝送の実施に適していないと見なす（例えば、ＢＳ２ａ、ＢＳ２ｂのＣＯ−ＭＩＭＯ伝送が、ＢＳ２ｂによってサービス提供される他のＭＳへの干渉を被ることになる）場合、ＢＳ２ｂはＢＳ２ａとのＣＯ−ＭＩＭＯ伝送を拒否してよい。
【００７８】
ＢＳ２ｂが、ＢＳ２ａからのダウンリンク信号プリコーディング行列を受諾するのか、共有コードブックからダウンリンク信号プリコーディング行列を再度探索するのか、それともＢＳ２ａとのＣＯ−ＭＩＭＯ伝送を拒否するのかに関わらず、ＢＳ２ｂは、その選択結果を協働応答メッセージによりＢＳ２ａに知らせる。
【００７９】
ＢＳ２ｂがＢＳ２ａから協働要求メッセージを取得した後で、デフォルトで選択された協働要求メッセージ中のダウンリンク信号プリコーディング行列Ｗ１２’を受諾する場合、ステップＳ８は省いてよい。
【００８０】
次いで、ステップＳ９で、ＢＳ２ｂはＢＳ２ａに協働応答メッセージを送る。
【００８１】
次いで、ステップＳ１０で、ＢＳ２ａはＢＳ２ｂから協働応答メッセージを受信し、協働応答メッセージに従ってＢＳ２ｂとＭＳ１ａの間の新規ダウンリンク信号プリコーディング情報を判定する。
【００８２】
具体的には、ＢＳ２ａはＢＳ２ｂの選択結果（元のダウンリンク信号プリコーディング行列を受諾し、又はダウンリンク信号プリコーディング行列を再判定し、又はＢＳ２ａとのＣＯ−ＭＩＭＯ伝送を拒否する）を協働応答メッセージから抽出し、ＢＳ１ｂとＭＳ１ａの間の新規ダウンリンク信号プリコーディング情報（新規ダウンリンク信号プリコーディング情報は、ＭＳ１ａによって判定された元のダウンリンク信号プリコーディング情報でも、ＢＳ２ｂによって再判定されたダウンリンク信号プリコーディング情報でもよい）を選択結果に従って判定し、この情報はＭＳ１ａへの通知を行うのに使われる。
【００８３】
ステップＳ８が省かれることに基づいて、後続ステップＳ９、Ｓ１０は両方とも省いてよいことに留意されたい。
【００８４】
次いで、方法はステップＳ１１に入り、ＢＳ２ａはダウンリンク信号を協働して送信するよう、ＢＳ２ｂ、ＢＳ２ａに命令する送信命令メッセージをＢＳ２ｂに送る。
【００８５】
さらに、送信命令メッセージは、ＢＳ２ｂがＢＳ２ａとのＣＯ−ＭＩＭＯ伝送用に必要とされる時間周波数資源をＢＳ２ｂに知らせるのに使われる。
【００８６】
当然ながら、時間周波数資源について事前に合意がとられているとき、ステップＳ１１は省いてよい。
【００８７】
最後に、ステップＳ１２で、ＢＳ２ａは、ＢＳ２ａ、ＢＳ２ｂによって協働して送信されるダウンリンク信号の受信を開始するよう命令する受信命令メッセージをＭＳ１ａに送り、ここで、受信命令メッセージは、ＢＳ２ａとＭＳ１ａの間の新規ダウンリンク信号プリコーディング情報及びＢＳ２ｂとＭＳ１ａの間の新規ダウンリンク信号プリコーディング情報からなる。
【００８８】
当然ながら、ＢＳ２ａ及びＢＳ２ｂが両方とも、ＭＳ１ａによって判定されたダウンリンク信号プリコーディング行列を受諾する場合、受信命令メッセージは、ＢＳ２ａとＭＳ１ａの間の新規ダウンリンク信号プリコーディング情報及びＢＳ２ｂとＭＳ１ａの間の新規ダウンリンク信号プリコーディング情報を備えなくてもよい。
【００８９】
ＭＳ１ａは、ダウンリンク信号プリコーディング情報Ｗ１１’によってプリコーディングされたダウンリンク送信信号をＢＳ２ａから、ダウンリンク信号プリコーディング情報Ｗ１２’によってプリコーディングされたダウンリンク送信信号をＢＳ２ｂから受信した後、ＢＳ２ａとＭＳ１ａの間のダウンリンクチャネルの取得チャネル関連情報Ｈ１１及びダウンリンク信号プリコーディング情報Ｗ１１’に従って、ＢＳ２ａからの信号を復元する。一方、ＭＳ１ａは、ＢＳ２ｂとＭＳ１ａの間のダウンリンクチャネルの取得チャネル関連情報Ｈ１２及びダウンリンク信号プリコーディング情報Ｗ１２’に従って、ＢＳ２ｂからの信号を復元する。
【００９０】
変形形態では、ＭＳ１ａは、ＢＳ２ａとＭＳ１ａの間のダウンリンクチャネルのチャネル関連情報Ｈ１１及びＢＳ２ｂとＭＳ１ａの間のダウンリンクチャネルのチャネル関連情報Ｈ１２を判定した後、チャネル関連情報をＢＳ２ａに直接送り、ＢＳ２ａは、受信したチャネル関連情報Ｈ１１及びＨ１２に従って、所定の規則に基づく、ＢＳ２ａとＭＳ１ａの間のダウンリンク信号プリコーディング情報及びＢＳ２ｂとＭＳ１ａの間のダウンリンク信号プリコーディング情報を判定する。詳細な判定方法は、ステップＳ３についての説明を参照すればよいので、簡略化のために詳述しない。
【００９１】
当然ながら、ＢＳ２ａは、ＢＳ２ａとＭＳ１ａの間のダウンリンク信号プリコーディング情報及びＢＳ２ｂとＭＳ１ａの間のダウンリンク信号プリコーディング情報を判定した後、ＭＳ１ａに判定ダウンリンク信号プリコーディング情報を知らせる必要もある。
【００９２】
別の変形形態では、ＭＳ１ａは、ＢＳ２ａとＭＳ１ａの間のダウンリンク信号プリコーディング情報及びＢＳ２ｂとＭＳ１ａの間のダウンリンク信号プリコーディング情報を判定した後、ＢＳ２ａとＭＳ１ａの間のダウンリンク信号プリコーディング情報をＢＳ２ａに送り、一方ではＢＳ２ｂとＭＳ１ａの間のダウンリンク信号プリコーディング情報をＢＳ２ｂに送る。ＢＳ２ａ及びＢＳ２ｂは、ＭＳ１ａからダウンリンク信号プリコーディング情報を受信した後、プリコーディング情報を受諾しても、ダウンリンク信号プリコーディング情報を再判定してもよい。当然ながら、互いの間のＣＯ−ＭＩＭＯ伝送を拒否してもよい。ＢＳ２ａ及びＢＳ２ｂがそのダウンリンク信号プリコーディング情報をそれぞれ再判定した場合、ＢＳ２ａ及びＢＳ２ｂは再判定されたダウンリンク信号プリコーディング情報をＭＳ１ａに知らせなければならない。
【００９３】
本発明の技術的解決法を詳細に説明するために図１とともに図３、４、５を参照する。
【００９４】
図３は、本発明の実施形態による、ＭＳとのダウンリンクデータ通信のために少なくとも１つの協働ＢＳと協働するようにそれ自体を制御する、ＣＯ−ＭＩＭＯ技術に基づく無線遠隔通信ネットワークにおけるサービングＢＳ内の第１の制御装置の構造図を示す。図中で、第１の制御装置１０は第１の送出機１０１、第１の受信機１０２、第１の取得手段１０３及び第２の送出機１０４を備える。
【００９５】
図４は、本発明の実施形態による、ＭＳとのダウンリンクデータ通信のためにサービングＢＳと協働するようにそれ自体を制御する、ＣＯ−ＭＩＭＯ技術に基づく無線遠隔通信ネットワークにおける協働ＢＳ内の第１の協働制御装置の構造図を示す。図中で、第１の協働制御装置２０は第３の受信機２０１を備える。
【００９６】
図５は、本発明の別の実施形態による、サービングＢＳ及び少なくとも１つの協働ＢＳが、ＭＳとのダウンリンクデータ通信を協働して実施するように制御するのを支援する、ＣＯ−ＭＩＭＯ技術に基づく無線遠隔通信ネットワークにおけるＭＳ内の第１の制御支援装置の構造図を示す。図中で、第１の制御支援装置３０は第５の受信機３０１、第５の判定手段３０２、第３の生成装置３０３及び第５の送出機３０４を備える。
【００９７】
具体的には、ＭＳ１ａは最初に、そのサービングＢＳを、プリアンブル又は他の測定値に基づいて判定する。ＭＳ１ａがＢＳ２ａから受信するプリアンブル又は他の信号の強度が、他のＢＳから受信されるものより大きい場合、ＭＳ１ａはＢＳ２ａがそのサービングＢＳである、つまり、ＭＳ１ａはＢＳ２ａによって支配されると判定する。
【００９８】
同様に、ＭＳ１ｂは、そのサービングＢＳをプリアンブル又は他の測定値に基づいて判定する。ＭＳ１ｂがＢＳ２ｂから受信するプリアンブル又は他の信号の強度が他のＢＳから受信されるものより大きい場合、ＭＳ１ｂは、ＢＳ２ｂがそのサービングＢＳである、つまり、ＭＳ１ｂはＢＳ２ｂによって支配されると判定する。
【００９９】
説明のための例として、ＭＳ１ａがＢＳ２ａによって支配され、ＭＳ１ｂがＢＳ２ｂによって支配され、ＭＳ１ａとのダウンリンクデータ伝送のために協働するよう、ＢＳ２ｂ、ＢＳ２ａに要求するための要求をＭＳ１ａ又はＢＳ２ａがＢＳ２ａに送る状況を検討する。
【０１００】
最初に、ＢＳ２ａはプリアンブル又は共通パイロットに基づく測定の実施及びＢＳ２ａへの測定結果の報告をＭＳ１ａに知らせるための測定命令メッセージをＭＳ１ａに送る。
【０１０１】
ＭＳ１ａは、ＢＳ２ａから測定命令メッセージを受信した後、測定命令メッセージによりＢＳ２ａ、ＢＳ２ｂから受信されたプリアンブル又は共通パイロットの強度を測定し、測定結果をＢＳ２ａに報告する。
【０１０２】
さらに、ＭＳ１ａは、ＢＳ２ａ及びＢＳ２ｂからのプリアンブル又は共通パイロットの強度を定期的に測定することができ、測定結果を定期的にＢＳ２ａに報告する。
【０１０３】
或いは、ＭＳ１ａは、所定の条件が満たされるときに測定結果をＢＳ２ａに知らせることができる。所定の条件は、ＭＳ１ａが、測定結果（受信信号強度インジケータ（ＲＳＳＩ）に従って、セルエッジの所に配置されていると判定し、又はＢＳ２ａとＭＳ１ａの間の物理搬送波電力対干渉電力及び雑音電力比（ＰＣＩＮＲ）が予め定義された閾値を下回り、又は受信信号強度インジケータ（ＲＳＳＩ）の間の差若しくはＢＳ２ａとＭＳ１ａの間及びＢＳ２ｂとＭＳ１ａの間の物理搬送波電力対干渉電力及び雑音電力比（ＰＣＩＮＲ）が別の所定閾値より低いことからなり得る。
【０１０４】
ＢＳ２ａは、受信測定結果に従って、ＭＳ１ａがＣＯ−ＭＩＭＯ条件を基本的に満たす（例えば、ＭＳ１ａが、ＢＳ２ａが支配するセルのエッジの所に配置されている）と判定し、次いで、ＢＳ２ａの第１のコントローラ１０内の第１の送出機１０１はＭＳ１ａに測定命令を送り、ここで、測定命令はＢＳ２ａとＭＳ１ａの間及びＢＳ２ｂとＭＳ１ａの間の各ダウンリンクチャネルのチャネル関連情報を判定するための判定支援情報からなる。
【０１０５】
さらに、判定支援情報は、ＢＳ２ａ及びＢＳ２ｂからの共通パイロット信号を測定する時間周波数資源（即ち、どのような時間周波数資源を、ＢＳ２ａ、ＢＳ２ｂが共通パイロット信号の測定に用いるべきか）、並びにＢＳ２ａとＭＳ１ａの間のダウンリンクチャネル及びＢＳ２ｂとＭＳ１ａの間のダウンリンクチャネルを推定するための他の必要情報からなる。
【０１０６】
或いは、測定命令はさらに、プリコーディング粒度、プリコーディング情報の計算戦略及びプリコーディング情報のフィードバック戦略などからなる。
【０１０７】
さらに、プリコーディング粒度は、同一のプリコーディング行列が適用可能である時間周波数資源ブロックのサイズを定義する。
【０１０８】
さらに、プリコーディング情報の計算戦略は、長期プリコーディング（チャネル共分散行列に基づくプリコーディングなど）及び短期プリコーディング（チャネル瞬時情報に基づくプリコーディングなど）からなり得る。
【０１０９】
さらに、プリコーディング情報のフィードバック戦略は、ＢＳ２ａのみへのプリコーディング情報のフィードバック又はＢＳ２ａ、ＢＳ２ｂ両方へのプリコーディング情報の同時フィードバック、並びにフィードバックの開始時点及び時間間隔（即ち、ＭＳ１ａが、対応するＢＳにどの程度の頻度でプリコーディング情報をフィードバックするか）などからなり得る。
【０１１０】
当然ながら、プリコーディング情報の計算戦略、プリコーディング情報のフィードバック戦略及びプリコーディング粒度に関して、これらは、ＭＳ１ａがネットワークに入るときにハンドシェーク情報によって相互に伝達することができる。このことに基づいて、ＢＳ２ａがＭＳ１ａに送る測定命令はこうした情報を備えなくてもよい。
【０１１１】
次いで、ＭＳ１ａに含まれる第１の制御支援装置３０内の第５の受信機３０１はＢＳ２ａから測定命令を受信し、第１の制御支援装置３０内の第５の判定手段３０２は、ＢＳ２ａとＭＳ１ａの間及びＢＳ２ｂとＭＳ１ａの間の各ダウンリンクチャネルのチャネル関連情報を測定命令中の判定支援情報に基づいて判定する。
【０１１２】
さらに、第５の判定手段３０２は、ＢＳ２ａとＭＳ１ａの間のダウンリンクチャネルのチャネル関連情報Ｈ１１及びＢＳ２ｂとＭＳ１ａの間のダウンリンクチャネルのチャネル関連情報Ｈ１２をそれぞれ、測定命令中の判定支援情報に基づいて、ＢＳ２ａから受信される共通パイロット信号及びＢＳ２ｂから受信される共通パイロット信号により推定し、ここで、Ｈ１１及びＨ１２は両方とも２×２行列である。
【０１１３】
さらに、行列Ｈ１１の行の量はＭＳ１ａの受信アンテナの量に等しく、行列Ｈ１１の列の量はＢＳ２ａの送信アンテナの量に等しい。行列Ｈ１２の行の量はＭＳ１ａの受信アンテナの量に等しく、行列Ｈ１２の列の量はＢＳ２ｂの送信アンテナの量に等しい。
【０１１４】
次いで、第１の制御支援装置３０に含まれる第３の生成装置３０３内の第６の判定手段（簡略化のために、図５には示さず）は、所定の規則に基づく、ＢＳ２ａとＭＳ１ａの間のダウンリンク信号プリコーディング情報及びＢＳ２ｂとＭＳ１ａの間のダウンリンク信号プリコーディング情報をダウンリンクチャネルの判定チャネル関連情報Ｈ１１及びＨ１２に従って判定する。さらに、ダウンリンク信号プリコーディング情報のための計算方法は、長期プリコーディング及び短期プリコーディングという２つのカテゴリに分けることができる。
【０１１５】
Ａ．長期プリコーディング
チャネル共分散行列に基づく長期プリコーディングを例として取り上げ、ＢＳ２ａとＭＳ１ａの間のダウンリンク信号プリコーディング情報及びＢＳ２ｂとＭＳ１ａの間のダウンリンク信号プリコーディング情報を判定する方法を記述する。
【０１１６】
第６の判定手段は最初に、共分散行列Ｒ＝Ｅ｛［Ｈ１１  Ｈ１２］＊×［Ｈ１１  Ｈ１２］｝を推定し、ここでＥ｛｝は期待値演算子であり、上付き記号＊は共役転置演算子である。
【０１１７】
次いで、第６の判定手段は、最適プリコーディング行列Ｗ１１’及びＷ１２’を以下の基準によって判定する。
【０１１８】
【数３】
0005393773.tif 000004
上式で、「Ｏ」はＷ１１及びＷ１２と同じ量の行及び列からなるヌル行列を表し、Ｔｒａｃｅ｛｝は括弧で括られた行列の対角要素の和に等しい。
【０１１９】
上式で、Ｗ１１及びＷ１２は所定のコードブックの要素である。さらに、所定のコードブックはＭＳ１ａ、ＭＳ１ｂ、ＢＳ２ａ及びＢＳ２ｂによって共有される。さらに、コードブックはＤＦＴコードブック、３ＧＰＰ  ＬＴＥコードブック、ＩＥＥＥ８０２．１６ｅコードブック又は他のコードブックでよく、これらは当業者に理解されるものであるので、ここでは詳しく述べない。
【０１２０】
上式で、最適プリコーディング行列Ｗ１１’はＢＳ２ａとＭＳ１ａの間のダウンリンク信号プリコーディング行列を表し、最適プリコーディング行列Ｗ１２’はＢＳ２ｂとＭＳ１ａの間のダウンリンク信号プリコーディング行列を表す。
【０１２１】
Ｂ．短期プリコーディング
チャネル瞬時情報に基づく短期プリコーディングを例として取り上げ、ＢＳ２ａとＭＳ１ａの間のダウンリンク信号プリコーディング情報及びＢＳ２ｂとＭＳ１ａの間のダウンリンク信号プリコーディング情報を判定する方法を記述する。
【０１２２】
第６の判定手段は、最適プリコーディング行列Ｗ１１’及びＷ１２’を以下の基準によって判定する。
【０１２３】
【数４】
0005393773.tif 000005
上式で、「Ｏ」はＷ１１及びＷ１２と同じ量の行及び列からなるヌル行列を表し、Ｃａｐａｃｉｔｙ｛｝はチャネル容量を表す。
【０１２４】
上式で、最適プリコーディング行列Ｗ１１’はＢＳ２ａとＭＳ１ａの間のダウンリンク信号プリコーディング行列を表し、最適プリコーディング行列Ｗ１２’はＢＳ２ｂとＭＳ１ａの間のダウンリンク信号プリコーディング行列を表す。
【０１２５】
次いで、第３の生成装置３０３内の第４の生成装置（簡略化のために、図５には示さず）は、ＢＳ２ａとＭＳ１ａの間の判定ダウンリンク信号プリコーディング情報及びＢＳ２ｂとＭＳ１ａの間のダウンリンク信号プリコーディング情報に従って、測定命令に対するフィードバック情報を生成し、第１の制御支援装置３０内の第５の送出機３０４は測定命令に対するフィードバック情報をＢＳ２ａに送る。
【０１２６】
具体的には、第６の判定手段が、コードブックを探索することによって最適プリコーディング行列Ｗ１１’及びＷ１２’を判定した後、第５の送出機３０４は、最適プリコーディング行列Ｗ１１’及びＷ１２’のインデックスを測定命令に対するフィードバック情報としてＢＳ２ａに送る。
【０１２７】
当然ながら、第５の送出機３０４は、最適プリコーディング行列Ｗ１１’及びＷ１２’を測定命令に対するフィードバック情報としてＢＳ２ａに直接送ることができる。
【０１２８】
任意選択で、測定命令に対するフィードバック情報はさらに、最適プリコーディング行列Ｗ１１’及びＷ１２’のインデックス又は最適プリコーディング行列Ｗ１１’及びＷ１２’自体に加えて、指示情報からなるものでよく、ＭＳ１ａは、この指示情報を使って、ＢＳ２ａがＣＯ−ＭＩＭＯ伝送に適しているかどうかをＢＳ２ａに知らせる。例えば、指示情報は、ＳＵ−ＭＩＭＯを上回るＣｏ−ＭＩＭＯを用いる容量利得、又は単にバイナリ値からなってよく、ここで、「１」はＣｏ−ＭＩＭＯ伝送に適していることを表し、「０」はＣＯ−ＭＩＭＯ伝送に適していないことを表す。
【０１２９】
次いで、第１の制御装置１０内の第１の受信機１０２はＭＳ１ａから測定命令に対するフィードバック情報を受信し、第１の制御装置１０内の第１の取得手段１０３内の第１の抽出手段（簡略化のために、図３には示さず）は測定命令に対するフィードバック情報から、ＢＳ２ａとＭＳ１ａの間のダウンリンク信号プリコーディング情報及びＢＳ２ｂとＭＳ１ａの間のダウンリンク信号プリコーディング情報を抽出する。
【０１３０】
具体的には、ＭＳ１ａが最適プリコーディング行列Ｗ１１’及びＷ１２’のインデックスを測定命令に対するフィードバック情報としてＢＳ２ａに送った場合、第１の抽出手段は最初に、測定命令に対するフィードバック情報から最適プリコーディング行列Ｗ１１’及びＷ１２’のインデックスを抽出する必要があり、ＭＳ１ａと共有されるコードブック中でインデックスに従って最適プリコーディング行列Ｗ１１’及びＷ１２’を探索する。
【０１３１】
ＭＳ１ａが、最適プリコーディング行列Ｗ１１’及びＷ１２’を測定命令に対するフィードバック情報としてＢＳ２ａに直接送った場合、第１の抽出手段は測定命令に対するフィードバック情報から最適プリコーディング行列Ｗ１１’及びＷ１２’を抽出するだけでよい。
【０１３２】
ＢＳ２ａが、ＢＳ２ａとＭＳ１ａの間のダウンリンク信号プリコーディング行列Ｗ１１’を取得した後、第１の制御装置１０内の第２の判定手段（簡略化のために、図３には示さず）は、ＢＳ２ａとＭＳ１ａの間のダウンリンク信号プリコーディング行列Ｗ１１’に従って、所定の規則に基づく、ＢＳ２ａとＭＳ１ａの間の新規ダウンリンク信号プリコーディング情報を判定する。
【０１３３】
具体的には、ＢＳ２ａとＭＳ１ａの間のダウンリンク信号プリコーディング行列Ｗ１１’をＢＳ２ａが取得した後、ＢＳ２ａが、ダウンリンク信号プリコーディング行列が適切であると見なす場合、ＢＳ２ａはダウンリンク信号プリコーディング行列Ｗ１１’を受諾する。ＢＳ２ａはＭＳ１ａによって推奨されるダウンリンク信号プリコーディング行列を検討せず、共有コードブック中の別のダウンリンク信号プリコーディング行列を再度探索してもよい。さらに、再度探索されるダウンリンク信号プリコーディング行列は、ＭＳ１ａによって本来推奨されるダウンリンク信号プリコーディング行列と強い相関があり、ＢＳ２ａによって支配される他のユーザへの損害が低下しているべきである。
【０１３４】
当然ながら、ＢＳ２ａが、ＢＳ２ｂとのＣＯ−ＭＩＭＯ伝送の実施に適していないと見なす（例えば、ＢＳ２ａ、ＢＳ２ｂのＣＯ−ＭＩＭＯ伝送が、ＢＳ２ａによってサービス提供される他のＭＳへの干渉を被ることになる）場合、ＢＳ２ａは、ＢＳ２ｂとのＣＯ−ＭＩＭＯ伝送方式においてＭＳ１ａへのサービス提供を拒否してよい。
【０１３５】
第１の制御装置１０内の第２の判定手段は、新規ダウンリンク信号プリコーディング情報（新規ダウンリンク信号プリコーディング情報は、ＭＳ１ａによって判定されたダウンリンク信号プリコーディング情報でも、ＢＳ２ａによって再判定されたダウンリンク信号プリコーディング情報でもよい）を、その最終選択結果（ＭＳ１ａによって推奨されるダウンリンク信号プリコーディング情報を受諾し、ダウンリンク信号プリコーディング情報を再判定し、又はＢＳ２ｂとのＣＯ−ＭＩＭＯ伝送を拒否する）に従って判定し、この結果はＭＳ１ａに通知を行うのに使われる。
【０１３６】
ＢＳ２ａがＢＳ２ａとＭＳ１ａの間のダウンリンク信号プリコーディング行列を取得した後に、デフォルトで選択されたダウンリンク信号プリコーディング行列Ｗ１１’を受諾した場合、第２の判定手段は省いてよい。
【０１３７】
次いで、第１の制御装置１０内の第２の送出機１０４は、ＢＳ２ｂとＭＳ１ａの間のダウンリンク信号プリコーディング情報からなる協働要求メッセージをＢＳ２ｂに送る。
【０１３８】
具体的には、第２の送出機１０４は、ＢＳ２ｂとＭＳ１ａの間のダウンリンク信号プリコーディング行列Ｗ１２’のインデックスを協働要求メッセージによりＢＳ２ｂに送ればよい。当然ながら、第２の送出機１０４は、ダウンリンク信号プリコーディング行列Ｗ１２’を協働要求メッセージによりＢＳ２ｂに直接送ることができる。
【０１３９】
任意選択で、協働要求メッセージはさらに、ＢＳ２ａとのＣＯ−ＭＩＭＯ伝送用に同じ時間周波数資源を使うことをＢＳ２ｂに知らせるように、ＢＳ２ａがＭＳ１ａに割り振る時間周波数資源情報からなってよく、協働要求メッセージはさらに、プリコーディング戦略情報（例えば、長期プリコーディングや短期プリコーディングの適用、プリコーディング粒度など）からなってよい。
【０１４０】
次いで、第１の協働制御装置２０内の第３の受信機２０１はＢＳ２ａから協働要求メッセージを受信し、第１の協働制御装置２０内の第１の生成装置（簡略化のために、図４には示さず）は協働要求メッセージに従って協働応答メッセージを生成する。
【０１４１】
具体的には、ＢＳ２ａがダウンリンク信号プリコーディング行列Ｗ１２’のインデックスを協働要求メッセージによりＢＳ２ｂに送った場合、第３の受信機２０１がＢＳ２ａから協働要求メッセージを受信した後、第１の生成装置内の第３の抽出手段（簡略化のために、図４には示さず）は最初に、協働要求メッセージからダウンリンク信号プリコーディング行列Ｗ１２’のインデックスを抽出し、次いで、インデックスに従って、共有コードブック中の対応するダウンリンク信号プリコーディング行列Ｗ１２’を探索する。
【０１４２】
ＢＳ２ａが、ダウンリンク信号プリコーディング行列Ｗ１２’を協働要求メッセージによりＢＳ２ｂに直接送った場合、第１の生成装置内の第３の抽出手段は協働要求メッセージからダウンリンク信号プリコーディング行列Ｗ１２’を抽出するだけでよい。
【０１４３】
さらに、ＢＳ２ｂが、ＢＳ２ｂとＭＳ１ａの間のダウンリンク信号プリコーディング行列Ｗ１２’を取得した後で、ＢＳ２ｂが、ダウンリンク信号プリコーディング行列が適切であると見なす場合、ＢＳ２ｂはダウンリンク信号プリコーディング行列Ｗ１２’を受諾する。
【０１４４】
ＢＳ２ｂは、ＢＳ２ａからのダウンリンク信号プリコーディング行列を検討せず、共有コードブック中の別のダウンリンク信号プリコーディング行列を再度探索してもよい。さらに、再度探索されたダウンリンク信号プリコーディング行列は、本来はＢＳ２ａからのダウンリンク信号プリコーディング行列と強い相関があり、ＢＳ２ｂによって支配される他のユーザへの損害が低下しているべきである。
【０１４５】
当然ながら、ＢＳ２ａが、ＢＳ２ａとのＣＯ−ＭＩＭＯ伝送の実施に適していないと見なす（例えば、ＢＳ２ａ、ＢＳ２ｂのＣＯ−ＭＩＭＯ伝送が、ＢＳ２ｂによってサービス提供される他のＭＳへの干渉を被ることになる）場合、ＢＳ２ｂはＢＳ２ａとのＣＯ−ＭＩＭＯ伝送を拒否してよい。
【０１４６】
ＢＳ２ｂが、ＢＳ２ａからのダウンリンク信号プリコーディング行列を受諾するのか、共有コードブックからダウンリンク信号プリコーディング行列を再度探索するのか、それともＢＳ２ａとのＣＯ−ＭＩＭＯ伝送を拒否するのかに関わらず、ＢＳ２ｂはその選択結果を協働応答メッセージによりＢＳ２ａに知らせる。
【０１４７】
ＢＳ２ｂがＢＳ２ａから協働要求メッセージを取得した後で、デフォルトで選択された協働要求メッセージ中のダウンリンク信号プリコーディング行列Ｗ１２’を受諾する場合、上記第１の生成装置は省いてよい。
【０１４８】
次いで、第１の協働制御装置２０内の第４の送出機はＢＳ２ａに協働応答メッセージを送る。
【０１４９】
次いで、第１の制御装置１０内の第２の受信機（簡略化のために、図３には示さず）はＢＳ２ｂから協働応答メッセージを受信し、第１の制御装置１０内の第１の判定手段（簡略化のために、図１には示さず）は、協働応答メッセージに従ってＢＳ２ｂとＭＳ１ａの間の新規ダウンリンク信号プリコーディング情報を判定する。
【０１５０】
具体的には、第１の制御装置１０内の第１の判定手段はＢＳ２ｂの選択結果（元のダウンリンク信号プリコーディング行列を受諾し、又はダウンリンク信号プリコーディング行列を再判定し、又はＢＳ２ａとのＣＯ−ＭＩＭＯ伝送を拒否する）を協働応答メッセージから抽出し、ＢＳ１ｂとＭＳ１ａの間の新規ダウンリンク信号プリコーディング情報（新規ダウンリンク信号プリコーディング情報は、ＭＳ１ａによって判定された元のダウンリンク信号プリコーディング情報でも、ＢＳ２ｂによって再判定されたダウンリンク信号プリコーディング情報でもよい）を、選択結果に従って判定し、この情報はＭＳ１ａへの通知を行うのに使われる。
【０１５１】
第１の生成装置が省かれることに基づいて、第４の送出機、第２の受信機及び第１の判定手段はすべて省いてよいことに留意されたい。
【０１５２】
次いで、第１の制御装置１０内の第３の送出機（簡略化のために、図３には示さず）は、ダウンリンク信号を協働して送信するよう、ＢＳ２ｂ、ＢＳ２ａに命令する送信命令メッセージをＢＳ２ｂに送る。
【０１５３】
さらに、送信命令メッセージは、ＢＳ２ｂがＢＳ２ａとのＣＯ−ＭＩＭＯ伝送用に必要とされる時間周波数資源をＢＳ２ｂに知らせるのに使われる。
【０１５４】
当然ながら、時間周波数資源について事前に合意がとられているとき、第３の送出機は省いてよい。
【０１５５】
最後に、第１の制御装置１０内の第３の送出機は、ＢＳ２ａ、ＢＳ２ｂによって協働して送信されるダウンリンク信号の受信を開始するよう命令する受信命令メッセージをＭＳ１ａに送り、ここで、受信命令メッセージは、ＢＳ２ａとＭＳ１ａの間の新規ダウンリンク信号プリコーディング情報及びＢＳ２ｂとＭＳ１ａの間の新規ダウンリンク信号プリコーディング情報からなる。
【０１５６】
当然ながら、ＢＳ２ａ及びＢＳ２ｂが両方とも、ＭＳ１ａによって判定されたダウンリンク信号プリコーディング行列を受諾する場合、受信命令メッセージは、ＢＳ２ａとＭＳ１ａの間の新規ダウンリンク信号プリコーディング情報及びＢＳ２ｂとＭＳ１ａの間の新規ダウンリンク信号プリコーディング情報を備えなくてもよい。
【０１５７】
ＭＳ１ａは、ダウンリンク信号プリコーディング情報Ｗ１１’によってプリコーディングされたダウンリンク送信信号をＢＳ２ａから、ダウンリンク信号プリコーディング情報Ｗ１２’によってプリコーディングされたダウンリンク送信信号をＢＳ２ｂから受信した後、ＢＳ２ａとＭＳ１ａの間のダウンリンクチャネルの取得チャネル関連情報Ｈ１１及びダウンリンク信号プリコーディング情報Ｗ１１’に従って、ＢＳ２ａからの信号を復元する。一方、ＭＳ１ａは、ＢＳ２ｂとＭＳ１ａの間のダウンリンクチャネルの取得チャネル関連情報Ｈ１２及びダウンリンク信号プリコーディング情報Ｗ１２’に従ってＢＳ２ｂからの信号を復元する。
【０１５８】
変形形態では、第１の制御支援装置３０内の第５の判定手段３０２は、ＢＳ２ａとＭＳ１ａの間のダウンリンクチャネルのチャネル関連情報Ｈ１１及びＢＳ２ｂとＭＳ１ａの間のダウンリンクチャネルのチャネル関連情報Ｈ１２を判定した後、チャネル関連情報をＢＳ２ａに直接送り、第１の制御装置１０内の第１の取得手段１０３は、受信したチャネル関連情報Ｈ１１及びＨ１２に従って、所定の規則に基づく、ＢＳ２ａとＭＳ１ａの間のダウンリンク信号プリコーディング情報及びＢＳ２ｂとＭＳ１ａの間のダウンリンク信号プリコーディング情報を判定する。
【０１５９】
当然ながら、ＢＳ２ａは、ＢＳ２ａとＭＳ１ａの間のダウンリンク信号プリコーディング情報及びＢＳ２ｂとＭＳ１ａの間のダウンリンク信号プリコーディング情報を判定した後、ＭＳ１ａに判定ダウンリンク信号プリコーディング情報を知らせる必要もある。
【０１６０】
別の変形形態では、ＭＳ１ａに含まれる第２の制御支援装置内の第８の判定手段が、ＢＳ２ａとＭＳ１ａの間のダウンリンク信号プリコーディング情報及びＢＳ２ｂとＭＳ１ａの間のダウンリンク信号プリコーディング情報を判定した後、第２の制御支援装置内の第７の送出機はＢＳ２ａとＭＳ１ａの間のダウンリンク信号プリコーディング情報をＢＳ２ａに送り、一方ではＢＳ２ｂとＭＳ１ａの間のダウンリンク信号プリコーディング情報をＢＳ２ｂに送る。ＢＳ２ａに含まれる第２の制御装置内の第８の受信機及びＢＳ２ｂに含まれる第２の協働制御装置内の第９の受信機は、ＭＳ１ａからダウンリンク信号プリコーディング情報を受信した後、プリコーディング情報を受諾しても、ダウンリンク信号プリコーディング情報を再判定してもよい。当然ながら、互いの間のＣＯ−ＭＩＭＯ伝送を拒否してもよい。ＢＳ２ａ及びＢＳ２ｂが、そのダウンリンク信号プリコーディング情報をそれぞれ再判定した場合、ＢＳ２ａ及びＢＳ２ｂは、再判定されたダウンリンク信号プリコーディング情報をＭＳ１ａに知らせなければならない。
【０１６１】
以上、本発明の詳細な実施形態の説明を行った。本発明は上記特定の実施形態に限定されず、当業者は添付の請求項の範囲内で変形及び修正を行ってよいことを理解されたい。
【図１】
0005393773.tif 000006
【図２Ａ】
0005393773.tif 000007
【図２Ｂ】
0005393773.tif 000008
【図３】
0005393773.tif 000009
【図４】
0005393773.tif 000010
【図５】
0005393773.tif 000011